(57)【要約】【課題】本発明は、除塵装置による塵埃の除塵を効率よくできるようにした電気掃除機を提供することにある。【解決手段】本発明の特徴とするところは、送風部と、送風部を回転駆動する電動機を有する電動送風機は、回転軸心が掃除機本体ケースの前後方向に沿うように配置し、電源コードを巻くコードリールと、コードリールを収めるリールケースを有する電源コード巻取り装置は、コードリールの回転軸心が電動送風機の回転軸心と交差するように電動送風機と隣合わせに置かれ、除塵装置は、コードリールの回転により回転駆動され、かつ集塵部の横幅方向に延在する除塵回転体を有し、除塵回転体は、一端が電動送風機の回転軸心よりも外側まで、他端が前記リールケースの電動送風機側端部よりも外側まで延びた長さを有するものである。【選択図】図１
2006340822.tif 000002
【特許請求の範囲】
【請求項１】
掃除機本体ケース内に収まる電動送風機、電源コード巻取り装置、集塵部、および前記集塵部の除塵を行う除塵装置を有する電気掃除機において、
送風部と、送風部を回転駆動する電動機を有する前記電動送風機は、回転軸心が掃除機本体ケースの前後方向に沿うように配置し、
電源コードを巻くコードリールと、コードリールを収めるリールケースを有する前記電源コード巻取り装置は、前記コードリールの回転軸心が前記電動送風機の回転軸心と交差するように電動送風機と隣合わせに置かれ、
前記除塵装置は、前記コードリールの回転により回転駆動され、かつ前記集塵部の横幅方向に延在する除塵回転体を有し、
前記除塵回転体は、一端が前記電動送風機の回転軸心よりも外側まで、他端が前記リールケースの電動送風機側端部よりも外側まで延びた長さを有することを特徴とする電気掃除機。
【請求項２】
掃除機本体ケース内に収まる電動送風機、電源コード巻取り装置、集塵部、および前記集塵部の除塵を行う除塵装置を有する電気掃除機において、
送風部と、送風部を回転駆動する電動機を有する前記電動送風機は、回転軸心が掃除機本体ケースの前後方向に沿うように配置し、
電源コードを巻くコードリールと、コードリールを収めるリールケースを有する前記電源コード巻取り装置は、前記コードリールの回転軸心が前記電動送風機の回転軸心と交差するように電動送風機と隣合わせに置かれ、
前記除塵装置は、前記コードリールの回転により回転駆動され、かつ前記集塵部の横幅方向に延在する除塵回転体を有し、
前記集塵部は、除塵回転体の回転に伴う振動により付着している塵埃が除塵される集塵フィルタを有し、
前記集塵フィルタは、一方の端部が前記電動送風機の回転軸心よりも外側に、他方の端部が前記リールケースの電動送風機側端部よりも外側に至る横幅を有することを特徴とする電気掃除機。
【請求項３】
掃除機本体ケース内に収まる電動送風機、電源コード巻取り装置、集塵部、および前記集塵部の除塵を行う除塵装置を有する電気掃除機において、
送風部と、送風部を回転駆動する電動機を有する前記電動送風機は、回転軸心が掃除機本体ケースの前後方向に沿うように配置し、
電源コードを巻くコードリールと、コードリールを収めるリールケースを有する前記電源コード巻取り装置は、前記コードリールの回転軸心が前記電動送風機の回転軸心と交差するように電動送風機と隣合わせに置かれ、
前記除塵装置は、前記コードリールの回転により回転駆動され、かつ前記集塵部の横幅方向に延在する除塵回転体を有し、
前記集塵部は、除塵回転体の回転に伴う振動により付着している塵埃が除塵される集塵フィルタを有し、
前記除塵回転体は、前記コードリールの外周最上部の接線である上側接線と、前記コードリールの外周最前部の接線である前側接線と、コードリールの外周包絡線に囲まれる三角領域の範囲に回転軸心が位置するように置かれ、
前記リールケースの前端側が除塵回転体の外周最前部よりも後退した位置に設けられたことを特徴とする電気掃除機。
【請求項４】
請求項１〜３の何れかに記載された電気掃除機において、
前記送風部は、前記集塵部の背面に対向ところに空気を吸い込む吸引口を有し、
前記吸引口の上方に前記除塵回転体を設けたことを特徴とする電気掃除機。
【請求項５】
請求項１〜３の何れかに記載された電気掃除機において
前記掃除機本体を前側から見て左側に前記電動送風機を、右側に前記電源コード巻取り装置を設け、
前記集塵部はサイクロン式分離式の機能を有することを特徴とする電気掃除機。
【発明の詳細な説明】
【技術分野】
【０００１】
本発明は、電動送風機、電源コード巻取り装置、集塵部、および前記集塵部の除塵を行う除塵装置を有する電気掃除機に関するものである。
【背景技術】
【０００２】
この種の電気掃除機は、例えば、特開２００５−２７８６２号公報（特許文献１）に示すような構成を有する。
【０００３】
その構成について、図９を引用して説明する。
【０００４】
電気掃除機は、集塵部（図示せず）に溜まった塵埃を除塵する手段として電源コード巻取り装置６０２の回転をギヤ６０４を介して動作する除塵装置６０３を備えている。集塵部に溜まる塵埃は電動送風機６０１の前側に比較的多く堆積する。このため、除塵装置６０３は集塵部と電動送風機６０１の間に設ける必要があった。
【０００５】
また、掃除機本体を小型軽量化とするために、電動送風機６０１の近傍に電源コード巻取り装置６０２を設けていた。これにより、除塵装置６０３の長さは電源コード巻取り装置６０２を除く、電動送風機６０１の前側幅程度であった。また、集塵部の略全幅一杯に亘って除塵装置を設ける場合、電動送風機の下側に電源コード巻取り装置を設けるなどの、特殊な配置になる。
【０００６】
【特許文献１】特開２００５−２７８６２号公報
【発明の開示】
【発明が解決しようとする課題】
【０００７】
上記従来の電気掃除機は、掃除機本体を小型軽量化とするためには、電動送風機６０１の近傍に電源コード巻取り装置６０２を設ける必要があり、除塵装置６０３の長さは電動送風機６０１の前側幅程度にしかならず、効率良く除塵することができなかった。
【０００８】
また、集塵部の略全幅一杯に亘って除塵装置を設ける場合、電動送風機の下側に電源コード巻取り装置を設けるなどの、特殊な配置が必要になり、部品点数が増えると共に組立て時間が増加する問題があった。
【０００９】
本発明の目的は上記課題を解決し、除塵装置による塵埃の除塵を効率よくできるようにした電気掃除機を提供することにある。
【課題を解決するための手段】
【００１０】
上記の目的を達成するために本発明の特徴とするところは、送風部と、送風部を回転駆動する電動機を有する電動送風機は、回転軸心が掃除機本体ケースの前後方向に沿うように配置し、電源コードを巻くコードリールと、コードリールを収めるリールケースを有する電源コード巻取り装置は、コードリールの回転軸心が電動送風機の回転軸心と交差するように電動送風機と隣合わせに置かれ、除塵装置は、コードリールの回転により回転駆動され、かつ集塵部の横幅方向に延在する除塵回転体を有し、除塵回転体は、一端が電動送風機の回転軸心よりも外側まで、他端が前記リールケースの電動送風機側端部よりも外側まで延びた長さを有するものである。
【発明の効果】
【００１１】
本発明によれば、除塵回転体は電動送風機の回転軸心よりも外側まで、他端がコードリールの巻き幅中心よりも外側まで延びた長さを有するので、集塵部の略全幅一杯に亘って除塵可能になり、効率良く除塵することができる。
【発明を実施するための最良の形態】
【００１２】
本発明の実施例を図面に沿って説明する。
【００１３】
まず、図５を引用して本発明の実施例に係わる電気掃除機の全体概要から述べる。
【００１４】
掃除機本体５０４には、ホース５０３が接続される。ホース５０３には先端に吸口５０１を有する延長管５０２が接続される。
【００１５】
塵埃は、掃除機本体５０４に内蔵される電動送風機の吸引力により、吸口５０１から吸い込まれた塵埃は延長管５０２、ホース５０３を通り掃除機本体５０４に集塵される。
【００１６】
この集塵を行なう掃除機本体５０４について、図1〜図４を引用して説明する。
【００１７】
図１は、掃除機本体の上ケースを外して内部構造を示している。図２は蓋体を開いて集塵ケースが集塵ケース収納室に収まっているところを示している。図３は集塵ケースを外して集塵ケース収納室内を覗いたところを示している。図４は除塵装置の外観を示している。
【００１８】
さて、図１、図２、図３に示すように、掃除機本体５０４の外廓を形成する掃除機本体ケースは、下ケース５０４Ａと上ケース５０４Ｂとを有する。
【００１９】
掃除機本体ケースの後部両側には、大きな外径の車輪５０５が設けられる。掃除機本体ケースの前下面には、キャスタが設けられる。このキャスタと大きな外径の車輪５０５で、掃除機本体５０４は走行移動する。
【００２０】
掃除機本体ケース内部（掃除機本体５０４の内部）には、電動送風機１０１、電源コード巻取り装置１０２、集塵部を形成する集塵ケース２０１、および前記集塵部の除塵を行う除塵装置１０３、集塵部である集塵ケース２０１が着脱自在に入る集塵ケース収納室５０７を有する。
【００２１】
上ケース５０４Ｂは、集塵ケース収納室５０７を開け閉めする開閉自在なる蓋体２０２が設けられる。
【００２２】
電動送風機１０１は、図１、図６、図７に示すように、電動機１０１Ａと送風機１０１Ｂを有する。送風機１０１Ｂが前に、電動機１０１Ａが後になるように縦並びになって電動送風機１０１は構成され、送風機１０１Ｂの前面中央に空気を吸い込む吸引口５１１が設けられる。
【００２３】
また、電源コード巻取り装置１０２は、電源コード５０８を巻くコードリール５０９と、コードリール５０９を収めるリールケース５１０を有する。
【００２４】
掃除機本体ケースの後部側には、電動送風機１０１と電源コード巻取り装置１０２が隣合わせとなって内置される。電動送風機１０１は、回転軸心が掃除機本体ケースの前後方向に沿うように配置され、電源コード巻取り装置１０２は、コードリール５０９の回転軸心が電動送風機１０１の回転軸心と交差するように配置される。
【００２５】
除塵装置１０３は、図１、図３、図４、図６〜図８に示すように、回転軸棒体４０３Ａと、回転軸棒体４０３Ａの外周に螺旋状に巻いた除塵線輪４０３Ｂより形成された除塵回転体４０３を有する。さらに、除塵装置１０３は、ギヤＡ４０１、ギヤＢ４０２を有する。
【００２６】
除塵回転体４０３の端部に設けるギヤＡ４０１は、ギヤＢ４０２を介してコードリール５０９の外周ギヤ５１２に噛み合わされる。これらの外周ギヤ５１２、ギヤＢ４０２を介してコードリール５０９の回転が伝わって除塵回転体４０３は、除塵の回転が行われる。
【００２７】
集塵部である集塵ケース２０１は、図７、図８に示すように、集塵室２０１Ａ、サイクロン式分離式の機能を有するサイクロン部２０１Ｂ、集塵フィルタ２０１Ｃは有する。集塵フィルタ２０１Ｃは、集塵ケース２０１の後側に位置する。
【００２８】
吸込口１０４から集塵部に流入した塵埃は、集塵フィルタ２０１Ｃに捕集され、濾過された空気が電動送風機１０１を通過して掃除機本体５０４の外部に排気される。
【００２９】
集塵フィルタ２０１Ｃの除塵は、集塵フィルタ２０１Ｃの背面側（集塵付着面の反対側）に設けられた除塵回転体４０３の回転により除塵が行われる。
【００３０】
すなわち、集塵フィルタ２０１Ｃは、波目が縦走する波形状を有する。除塵回転体４０３の螺旋状をなす除塵線輪４０３Ｂが波目に入るように置かれる。除塵回転体４０３の回転により、除塵線輪４０３Ｂは集塵フィルタ２０１Ｃの波頭を弾く。集塵フィルタ２０１Ｃは、振動して集塵フィルタ２０１Ｃに付着する塵埃の除塵が行われる。
【００３１】
この塵埃により集塵フィルタ２０１Ｃの目詰まりが解消され、吸込力が回復する。
【００３２】
除塵装置１０３は、電動送風機１０１の吸引口５１１（電動送風機の中心）よりも上側に設けており、集塵フィルタ２０１の上部で除塵するため、除塵した塵埃が効率よく下方へ落下する。
【００３３】
上述したように電動送風機１０１と電源コード巻取り装置１０２は、隣合せになるように掃除機本体ケースに内置される。上下重ねに配置するよりも、掃除機本体は小型、軽量で、組立ても容易である。
【００３４】
電動送風機１０１は、掃除機本体５０４を前側から見て左側に、電源コード巻取り装置１０２を右側に備えている。この電気掃除機を右利きの使用者が右手で掃除をする場合に、掃除機本体５０４は使用者の右側になる。このとき、電動送風機１０１が使用者から離れた方に電動送風機１０１の騒音が低減されて聞こえるようになるので、好都合である。
【００３５】
除塵装置１０３は、使用者が掃除をする直に電源コードを引き出すので、除塵装置１０３の除塵が行なわれる。吸込力が回復させて掃除が行なわれるので、好都合である。
【００３６】
次に、除塵回転体による除塵範囲の拡大、及び集塵フィルタの面積拡大について述べる。
【００３７】
電動送風機１０１は、回転軸心が掃除機本体ケースの前後方向に沿うように配置する。電源コード巻取り装置１０２は、コードリール５０９の回転軸心が電動送風機１０１の回転軸心と交差するように電動送風機１０１と隣合わせに置かれる。除塵装置１０３は集塵部の集塵フィルタ２０１の横幅方向に延在する除塵回転体４０３を有する。
【００３８】
そして、除塵回転体４０３は、図８に示すように、コードリール５０９の外周最上部の接線である上側接線１００１と、コードリール５０９の外周最前部の接線である前側接線１００２と、コードリール５０９の外周包絡線に囲まれる三角領域の範囲に回転軸心が位置するように置き、リールケース５１０の前端側が除塵回転体４０３の外周最前部よりも後退した位置に設ける。
【００３９】
これにより、リールケース５１０の前端側は、図９に示す従来例のような除塵装置１０３の前面に突き出することはなく、除塵装置１０３と面一になる。このため、集塵フィルタ２０１の横幅を集塵部の横幅と同程度まで拡大することができる。
【００４０】
集塵フィルタ２０１の横幅拡大に伴い、除塵回転体４０３の長さを長くして除塵範囲の拡大も行なわれる。
【００４１】
図６は除塵範囲の拡大した除塵回転体を示す。
【００４２】
すなわち、除塵回転体４０３は、一端が電動送風機１０１の吸引口５１１の中心（電動送風機１０１の回転軸心）を通る縦線１００３よりも外側まで、他端がリールケース５１０の電動送風機１０１側端部よりも外側まで延びた長さを有する。
【００４３】
除塵回転体４０３の長さは、従来例よりもＬ１長くなった。
【００４４】
図７は横幅面積が拡大された集塵フィルタ２０１を示す。
【００４５】
すなわち、集塵フィルタ２０１は一端が電動送風機１０１の吸引口５１１の中心（電動送風機１０１の回転軸心）を通る縦線１００３よりも外側（縦線１００４）に、他端がリールケース５１０の電動送風機１０１側端部（縦線１００５）よりも外側（縦線１００６）に至る横幅を有する。
【００４６】
集塵フィルタ２０１Ｃの横幅は、従来例よりもＬ２長くなった。
【００４７】
このように集塵フィルタ２０１Ｃの集塵面積が拡大するので、吸込力を長く維持できる。また、除塵回転体４０３による除塵範囲が拡大するので、吸込力の回復が拡大する。
【図面の簡単な説明】
【００４８】
【図１】本発明の実施例に係わるもので、上ケースを外して電気掃除機の本体内部を示した図である。
【図２】本発明の実施例に係わるもので、蓋体を開けた電気掃除機の本体外観図である。
【図３】本発明の実施例に係わるもので、集塵ケースを外した電気掃除機の本体外観図である。
【図４】本発明の実施例に係わるもので、電気掃除機の除塵装置の外観図である。
【図５】本発明の実施例に係わるもので、電気掃除機の全体外観図である。
【図６】本発明の実施例に係わるもので、除塵回転体による除塵範囲の拡大を説明するための図である。
【図７】本発明の実施例に係わるもので、集塵フィルタの集塵面積拡大を説明するための図である。
【図８】本発明の実施例に係わるもので、除塵回転体による除塵範囲の拡大、集塵フィルタの集塵面積拡大を説明するための図である。
【図９】従来の電気掃除機の本体内部の外観図である。
【符号の説明】
【００４９】
１０１…電動送風機、１０２…電源コード巻取り装置、１０３…除塵装置、１０４…吸込口、２０１…集塵ケース、２０２…蓋体、２０１Ｂ…サイクロン部、４０３…除塵線輪、４０１…ギヤＡ、４０２…ギヤＢ、４０３…除塵回転体、５０１…吸口、５０２…延長管、５０３…ホース、５０４…掃除機本体、５０９…コードリール、５１０…リールケース、５１１…電動送風機の吸引口。
【図１】
2006340822.tif 000003
【図２】
2006340822.tif 000004
【図３】
2006340822.tif 000005
【図４】
2006340822.tif 000006
【図５】
2006340822.tif 000007
【図６】
2006340822.tif 000008
【図７】
2006340822.tif 000009
【図８】
2006340822.tif 000010
【図９】
2006340822.tif 000011